(57)【要約】【課題】クロス壁におけるクロスの補修を簡単に行うことができ、かつ補修箇所が目立たないクロス壁用補修材とクロス壁の補修方法を提供する。【解決手段】クロス壁補修材１は、正面視が略円形の薄いシートである。クロス壁補修材１の周縁部６は不規則な凹凸形状を成しており、かつ表面は複雑な凹凸模様を成している。クロス壁補修材１を、クロスの補修対象部分（破れ、汚れ、穴、傷など）を含む領域に貼付することにより、補修箇所が目立つことなく、簡単にクロスを補修することができる。【選択図】図１
2013227811.tif 000002
【特許請求の範囲】
【請求項１】
表面積が０．７ｃｍ2〜３００ｃｍ2のシートからなり、その全周縁部は不規則な凹凸形状であり、前記周縁部の凹凸形状の平均線を結んだ平均輪郭線を想定したとき、当該凹凸形状には平均輪郭線１ｃｍあたり２個以上の凸部があり、前記凸部とこれに隣接する凹部との間の凹凸の最大深さが１ｍｍ〜２０ｍｍであり、裏面側に糊層を有し、表面側に凹凸模様があり、当該表面側の凹凸模様における凸部分の表面は平滑であり、凹部分の表面は不規則であることを特徴とするクロス壁用補修材。
【請求項２】
紙、樹脂、及び布から選ばれた素材からなるシート本体を有し、当該シート本体の表面に石膏で前記凹凸模様が形成されていることを特徴とする請求項１に記載のクロス壁用補修材。
【請求項３】
クロス壁におけるクロスの補修対象部分及びその周辺を清掃する工程と、前記補修対象部分を含む領域に、請求項１又は２に記載のクロス壁用補修材を貼付する工程とを包含することを特徴とするクロス壁の補修方法。
【請求項４】
前記補修対象部分を含む領域に、別途用意したシートを貼付し、当該シートの上に前記クロス壁用補修材を貼付することを特徴とする請求項３に記載のクロス壁の補修方法。
【請求項５】
前記クロス壁用補修材と元のクロス壁との境界部分を着色する工程をさらに包含することを特徴とする請求項３又は４に記載のクロス壁の補修方法。
【発明の詳細な説明】
【技術分野】
【０００１】
本発明は、クロス壁用補修材、及びクロス壁の補修方法に関する。本発明は、クロス壁におけるクロスが破れた部分や汚れた部分の補修に有用である。
【背景技術】
【０００２】
家屋等において内装施工されたクロスは、経年使用によって破れたり汚れたりし、部分的な補修が必要となることがある。クロスを補修する方策としては、樹脂等からなる壁紙補修剤を使用する方法がある（例えば、特許文献１）。例えば、クロス上に生じた小さな穴や傷に壁紙補修剤を塗着することにより、クロスを補修することができる。
【０００３】
その他の方策として、新品のクロスを適当な大きさに切断し、補修対象部分に貼付することが挙げられる。
【先行技術文献】
【特許文献】
【０００４】
【特許文献１】特開平１０−２５９３６５号公報
【発明の概要】
【発明が解決しようとする課題】
【０００５】
壁紙補修剤を用いた方策は、小さな穴や傷の補修には適しているが、補修対象部分が広範囲になると適用が難しくなる。また、作業にある程度の熟練が必要であり、家庭で行うには難しい場合がある。新品のクロスを切断して用いる方策は、作業の仕方によっては、元のクロスと貼付したクロスとの境界が目立ってしまうおそれがある。
【０００６】
そこで本発明は、クロス壁におけるクロスの補修を簡単に行うことができ、かつ補修箇所が目立たないクロス壁用補修材とクロス壁の補修方法を提供することを目的とする。
【課題を解決するための手段】
【０００７】
上記した課題を解決するための請求項１に記載の発明は、表面積が０．７ｃｍ2〜３００ｃｍ2のシートからなり、その全周縁部は不規則な凹凸形状であり、前記周縁部の凹凸形状の平均線を結んだ平均輪郭線を想定したとき、当該凹凸形状には平均輪郭線１ｃｍあたり２個以上の凸部があり、前記凸部とこれに隣接する凹部との間の凹凸の最大深さが１ｍｍ〜２０ｍｍであり、裏面側に糊層を有し、表面側に凹凸模様があり、当該表面側の凹凸模様における凸部分の表面は平滑であり、凹部分の表面は不規則であることを特徴とするクロス壁用補修材である。
【０００８】
本発明のクロス壁用補修材は、表面積が所定範囲のシートからなるものであり、全周縁部が不規則な凹凸形状であるとともに、表面側に凹凸模様を有するものである。
本発明のクロス壁用補修材における全周縁部の不規則な凹凸形状は、周縁部の凹凸形状の平均線を結んだ平均輪郭線を想定したとき、当該凹凸形状には平均輪郭線１ｃｍあたり２個以上の凸部があり、前記凸部とこれに隣接する凹部との間の凹凸の最大深さが１ｍｍ〜２０ｍｍのものである。そのため、クロスの補修対象部分（破れ、汚れ、穴、傷など）に貼付したときに、周縁部の不規則な凹凸形状が元のクロスと視覚的に調和し、境界部分が目立たない。
また、本発明のクロス壁用補修材は、表面側に凹凸模様を有しており、かつ、当該凹凸模様における凸部分の表面は平滑で、凹部分の表面は不規則であるので、外観が自然である。
さらに、シートの裏面側には糊層を有するので、容易に貼付することができる。
さらに、本発明のクロス壁用補修材の表面積は０．７ｃｍ2〜３００ｃｍ2であり、小さい穴や傷から、ある程度大きい破れや汚れまで、幅広いサイズの補修対象部分に対応することができる。
本発明のクロス壁用補修材によれば、補修箇所が目立ちにくく、かつ補修作業が容易に行える。
【０００９】
請求項１に記載のクロス壁用補修材において、紙、樹脂、及び布から選ばれた素材からなるシート本体を有し、当該シート本体の表面に石膏で前記凹凸模様が形成されている構成が好ましい（請求項２）。
【００１０】
請求項３に記載の発明は、クロス壁におけるクロスの補修対象部分及びその周辺を清掃する工程と、前記補修対象部分を含む領域に、請求項１又は２に記載のクロス壁用補修材を貼付する工程とを包含することを特徴とするクロス壁の補修方法である。
【００１１】
本発明はクロス壁の補修方法に係るものであり、クロス壁におけるクロスの補修対象部分及びその周辺を清掃する工程と、前記補修対象部分を含む領域に上記クロス壁用補修材を貼付する工程とを包含する。本発明のクロス壁の補修方法によれば、補修箇所が目立ちにくく、かつ補修作業が容易に行える。
補修対象部分の例としては、クロスの破れ、汚れ、穴、傷などが生じた部分が挙げられる。
【００１２】
請求項４に記載の発明は、前記補修対象部分を含む領域に、別途用意したシートを貼付し、当該シートの上に前記クロス壁用補修材を貼付することを特徴とする請求項３に記載のクロス壁の補修方法である。
【００１３】
本発明のクロス壁の補修方法では、補修対象部分を含む領域に、別途用意したシートを貼付し、当該シートの上にクロス壁用補修材を貼付する。かかる構成により、別途用意したシートが補強材として機能し、貼付後のクロス壁用補修材の強度が高く保たれる。
【００１４】
請求項５に記載の発明は、前記クロス壁用補修材と元のクロス壁との境界部分を着色する工程をさらに包含することを特徴とする請求項３又は４に記載のクロス壁の補修方法である。
【００１５】
かかる構成により、元のクロスとの境界部分がさらに目立たなくなる。
【発明の効果】
【００１６】
本発明のクロス壁用補修材によれば、補修箇所が目立ちにくく、かつ補修作業が容易に行える。
【００１７】
本発明のクロス壁の補修方法についても同様であり、補修箇所が目立ちにくく、かつ補修作業が容易に行える。
【図面の簡単な説明】
【００１８】
【図１】本発明の一実施形態に係るクロス壁補修材を示す正面図である。
【図２】図１のクロス壁補修材の積層構造を示す断面図である。
【図３】図１のクロス壁補修材における周縁部の凹凸形状を示す拡大図である。
【図４】図１のクロス壁補修材における表面層の凹凸の状態を示す断面図である。
【図５】クロス壁の補修手順を説明する説明図であり、（ａ）は補修対象部分を特定した状態、（ｂ）はクロス壁補修材を貼付した状態を示す。
【図６】本発明の他の実施形態に係るクロス壁補修材を示す正面図である。
【発明を実施するための形態】
【００１９】
以下、本発明の実施形態について図面を参照しながら説明する。なお、発明の理解を容易にするために、各図面において、各部材の大きさや厚みについては一部誇張して描かれており、実際の大きさや比率等とは必ずしも一致しないことがある。さらに、本発明が以下の実施形態に限定されないことは当然である。
【００２０】
本発明の一実施形態に係るクロス壁補修材１は、図１に示すように、正面視が略円形の薄いシートである。クロス壁補修材１は、図２に示すように、シート本体２の一方の面に表面層３が設けられ、他方の面に糊層５が設けられた３層構造を有している。シート本体２は、紙、樹脂、布等からなるシート状の基材である。表面層３は石膏からなり、後に詳述する凹凸模様が表面に形成されている。なお図２では凹凸模様の図示を省略している。糊層５は接着性を有する層であり、クロス壁補修材１を貼付する際の糊として機能する。クロス壁補修材１の非使用時においては、糊層５は離型紙で覆われている。
【００２１】
クロス壁補修材１においては、その周縁部６の形状（凹凸形状）と、表面の形状（凹凸模様）に特徴がある。
【００２２】
クロス壁補修材１は、巨視的には正面視において略円形であるが（図１）、周縁部６がその全周にわたって不規則な凹凸形状を成している。詳細には、図３に示すように、周縁部６は、複数の凸部７と複数の凹部８が不規則に並んだ凹凸形状を成している。周縁部６における凹凸形状の平均線を結んだ平均輪郭線１０を想定したとき、１ｃｍの平均輪郭線１０あたり、少なくとも２個の凸部７が存在している。さらに、互いに隣接する凸部７と凹部８の間の最大深さが１ｍｍ〜２０ｍｍである。
【００２３】
またクロス壁補修材１においては、石膏からなる表面層３の表面に、凹凸模様が形成されている。当該凹凸模様は、図１に示すように、正面視において不規則な模様を成している。この不規則な模様は、複数の凸部分１２と複数の凹部分１５が混じり合って形成されている。凹凸の状態に着目すると、図４に示すように、凸部分１２は、いずれもその表面１６が平滑であり、高さが揃っている。一方、凹部分１５の表面１７はいずれも不規則であり、高さは揃っていない。これにより、クロス壁補修材１の表面は、微妙な凹凸の質感を発揮することができる。
【００２４】
クロス壁補修材１の表面積における、凸部分１２と凹部分１５が占める比率は特に限定はないが、例えば、２：８〜８：２の範囲とすることができる。
【００２５】
本実施形態のクロス壁補修材１の正面視における直径は、１０ｍｍ〜１５０ｍｍ程度である。しかしながら、本発明はこれに限定されるものではなく、表面積が０．７ｃｍ2〜３００ｃｍ2の範囲であれば、１０ｍｍ未満や１５０ｍｍ超でもよい。
【００２６】
クロス壁補修材１を用いて、クロスを補修する手順の一例を示す。まず、クロス壁におけるクロス２０の補修対象部分１８（破れ、汚れ、穴、傷などがある部分）を特定する（図５（ａ））。そして、補修対象部分１８とその周辺を清掃する。例えば、ウエス等を用いて汚れをきれいに拭き取る。次に、当該補修対象部分１８を含む領域に、当該領域を覆うことができるサイズのクロス壁補修材１を貼付する（図５（ｂ））。例えば、補修対象部分１８が直径６０ｍｍ〜１００ｍｍ程度の穴であれば、直径１３０ｍｍ程度の略円形のクロス壁補修材１を使用すればよい。クロス壁補修材１による補修作業は、基本的にこれで終了である。クロス壁補修材１によれば、周縁部６が不規則な凹凸形状を成しているとともに、表面に凹凸模様が形成されているので、元のクロス２０との境界部分が目立ちにくい。
【００２７】
なお、クロス壁補修材１を貼付する際には、必要に応じて、補強シートを当該領域に予め貼付し、その上からクロス壁補修材１を貼付してもよい。補強シートとしては、本実施形態におけるシート本体２と同様のシート材を採用することができる。補助シートの大きさは、例えば、クロス壁補修材１より一回り小さいサイズとすることができる。
【００２８】
また、クロス壁補修材１の貼付終了後に、必要に応じて、クロス壁補修材１と元のクロス２０との境界部分を着色処理して色合わせし、境界部分をさらに目立たなくすることができる。その他、穴埋め材を用いて、表面の凹凸模様を微調整することもできる。
【００２９】
上記した実施形態では、クロス壁補修材１の全体形状が略円形であるが、本発明はこれに限定されるものではない。例えば、図６に示すクロス壁補修材２１は正面視が帯状である。クロス壁補修材２１においても、周縁部６が不規則な凹凸形状であるとともに、表面に凹凸模様が形成されている。本実施形態のクロス壁補修材２１は、例えば、クロス壁のコーナー部分の補修に有用である。
【符号の説明】
【００３０】
１  クロス壁補修材
２  シート本体
３  表面層
５  糊層
６  周縁部
７  凸部
８  凹部
１０  平均輪郭線
１２  凸部分
１５  凹部分
１６  表面
１７  表面
１８  補修対象部分
２０  クロス
２１  クロス壁補修材
【図１】
2013227811.tif 000003
【図２】
2013227811.tif 000004
【図３】
2013227811.tif 000005
【図４】
2013227811.tif 000006
【図５】
2013227811.tif 000007
【図６】
2013227811.tif 000008